(57)【要約】【課題】側板部にかかる負荷を軽減して耐荷重を高めることができるテーブルを提供すること。【解決手段】床面１００に接する底板部３と、床面１００から離れるように底板部３から延びる側板部４０と、底板部３が床面１００に接している状態において床面１００から離れた位置に天板上面２１を有し側板部４０と繋がって設けられた天板部２０と、底板部３から天板部２０へ向かう方向に見たときの底板部３の輪郭３ａの内側領域において輪郭３ａから離れた位置且つ天板部２０の中央Ｐよりも側板部４０に近い位置に配され底板部３と天板部２０とを連結する支柱部材２３と、を備える。【選択図】図３
2018068638.tif 000002
【特許請求の範囲】
【請求項１】
床面に接する底板部と、
前記床面から離れるように前記底板部から延びる側板部と、
前記底板部が前記床面に接している状態において前記床面から離れた位置に天板上面を有し前記側板部と繋がって設けられた天板部と、
前記底板部から前記天板部へ向かう方向に見たときの前記底板部の輪郭の内側領域において前記輪郭から離れた位置且つ前記天板部の中央よりも前記側板部に近い位置に配され前記底板部と前記天板部とを連結する支柱部材と、
を備えたテーブル。
【請求項２】
前記底板部と前記天板部とは互いに材質が異なり、
前記側板部は、
前記底板部と同一の素材からなり前記底板部に対して曲げられた形状をなして前記底板部と連なり前記床面から離間して配される側板下部構造部と、
前記天板部と同一の素材からなり前記天板部に対して曲げられた形状をなして前記天板部と連なっているとともに前記側板下部構造部に接続される側板上部構造部と、
を有する、
請求項１に記載のテーブル。
【請求項３】
前記側板下部構造部と前記側板上部構造部とが各々の板厚方向に重ねて接続されている、
請求項２に記載のテーブル。
【請求項４】
前記天板部と前記側板上部構造部との合計重量は、前記底板部と前記側板下部構造部との合計重量よりも小さい、
請求項２または請求項３に記載のテーブル。
【請求項５】
前記支柱部材と前記側板部とを連結する補強体をさらに備えた、
請求項１から請求項４のいずれか一項に記載のテーブル。
【発明の詳細な説明】
【技術分野】
【０００１】
本発明は、テーブルに関する。
【背景技術】
【０００２】
従来、ベッドやソファーなどの什器に隣接するように配置可能なＣ字状のテーブルが知られている。Ｃ字状のテーブルは、天板部の周縁の一部に配された側板部が天板部を片持ちで支える構造を有している。たとえば、特許文献１は、天板部を構成するパネルと、底板部を構成する床と、パネルと床とを接続する円弧状の側板部を構成するプレートと、を有するＣ字状のティーテーブルを開示している。
【先行技術文献】
【特許文献】
【０００３】
【特許文献１】実用新案登録第３１８８３８９号公報
【発明の概要】
【発明が解決しようとする課題】
【０００４】
Ｃ字状のテーブルの側板部は、天板部を片持ちで支えているので、天板部の自重や天板部上の載置物品の重量により、側板部を歪ませるような力を受ける。このため、従来のＣ字状のテーブルは、側板部の素材の強度の割に耐荷重が低い。
【０００５】
本発明は、上述した事情に鑑みてなされたものであって、側板部にかかる負荷を軽減して耐荷重を高めることができるテーブルを提供することを目的とする。
【課題を解決するための手段】
【０００６】
本発明の一態様は、床面に接する底板部と、前記床面から離れるように前記底板部から延びる側板部と、前記底板部が前記床面に接している状態において前記床面から離れた位置に天板上面を有し前記側板部と繋がって設けられた天板部と、前記底板部から前記天板部へ向かう方向に見たときの前記底板部の輪郭の内側領域において前記輪郭から離れた位置且つ前記天板部の中央よりも前記側板部に近い位置に配され前記底板部と前記天板部とを連結する支柱部材と、を備えたテーブルである。
【０００７】
このようなテーブルでは、側板部に加えて支柱部材が天板部を支えるので、支柱部材が無い場合と比較してテーブルの耐荷重を高めることができる。さらに、支柱部材が天板部の中央よりも側板部に近い位置に配置されているので、天板部と底板部との間に広い空間を有する。さらに、底板部から天板部へ向かう方向に見たときの底板部の輪郭の内側領域において底板部の輪郭から離れた位置に支柱部材が配置されているので、天板部と底板部との間に他の什器の一部が入り込むようにテーブルが配置される場合に支柱部材が邪魔になりにくい。
【０００８】
前記底板部と前記天板部とは互いに材質が異なり、前記側板部は、前記底板部と同一の素材からなり前記底板部に対して曲げられた形状をなして前記底板部と連なり前記床面から離間して配される側板下部構造部と、前記天板部と同一の素材からなり前記天板部に対して曲げられた形状をなして前記天板部と連なっているとともに前記側板下部構造部に接続される側板上部構造部と、を有していてもよい。
このようなテーブルでは、意匠性が特に求められる天板部と強度が特に求められる底板部とを互いに別の材質で構成することにより、意匠性と強度とを両立することができる。
【０００９】
前記側板下部構造部と前記側板上部構造部とが各々の板厚方向に重ねて接続されていてもよい。
このようなテーブルでは、側板下部構造部と側板上部構造部との接触面積を広く確保することができるので、側板下部構造部と側板上部構造部との接続強度を高めることができる。
【００１０】
前記天板部と前記側板上部構造部との合計重量は、前記底板部と前記側板下部構造部との合計重量よりも小さくてもよい。
【００１１】
このようなテーブルでは、テーブルの重心を底板部に近い位置とすることができるので、底板部が床面に接するようにテーブルが設置されている状態におけるテーブルの安定性を高めることができる。
【００１２】
上記態様のテーブルは、前記支柱部材と前記側板部とを連結する補強体をさらに備えていてもよい。
【００１３】
このようなテーブルでは、補強体によって支柱部材と側板部とが連結されているので、補強体が無い場合よりもテーブルの耐荷重をさらに高めることができる。
【発明の効果】
【００１４】
本発明によれば、側板部にかかる負荷を軽減して耐荷重を高めることができるテーブルを提供することができる。
【図面の簡単な説明】
【００１５】
【図１】本発明の一実施形態のテーブルを示す斜視図である。
【図２】同テーブルの正面図である。
【図３】同テーブルの側面図である。
【図４】同テーブルの背面図である。
【図５】同実施形態の変形例の構成を示す側面図である。
【図６】同実施形態の他の変形例の構成を示す側面図である。
【図７】同実施形態のさらに他の変形例の構成を示す側面図である。
【発明を実施するための形態】
【００１６】
本発明の一実施形態について説明する。
図１は、本実施形態のテーブルを示す斜視図である。
図１に示すように、本実施形態のテーブル１は、ベッドやソファーなどの什器に隣接するように設置することができるＣ字状のテーブルである。
【００１７】
テーブル１は、床面１００に接触可能な下部板部材２と、天板上面２１を構成する上部板部材１３と、下部板部材２と上部板部材１３との各々に連結された支柱部材２３とを備えている。
【００１８】
図２は、テーブル１の正面図である。図３は、テーブル１の側面図である。
図２及び図３に示すように、下部板部材２は、テーブル１を設置する床面１００に接する底板部３と、底板部３が床面１００に接している状態で床面１００から離れて上へ向かうように底板部３から延びる側板下部構造部８とを有している。下部板部材２の材質は特に限定されないが、下部板部材２よりも上部板部材１３の方が軽くなるように下部板部材２の材質が選択されることが好ましい。たとえば、下部板部材２は、鉄、アルミニウム、あるいはステンレス鋼などの金属からなる。また、下部板部材２の材質が上部板部材１３と同じ材質であってもよい。また、下部板部材２の外面は、メッキや塗装が施されていてもよい。
【００１９】
図１及び図３に示すように、底板部３は、平板状である。底板部３の周縁は、互いに平行な直線状の辺３ａ１，３ａ２と、底板部３と後述する側板下部構造部８との境界を構成する直線状の辺３ａ３と、底板部３の側面視において辺３ａ３と反対側に位置する曲線状の辺３ａ４とを有している。底板部３の板厚方向（テーブル１が床面１００に設置されている状態における高さ方向）の両面のうち天板部２０側に向けられた面（底板部３の上面４）とは反対側の面（底板部３の下面５）には、底板部３の材質よりも柔軟な材質からなる脚部材６が取り付けられている。脚部材６は、高さ調整機構を有していてもよい。底板部３の板厚方向から見たときに、底板部３の輪郭３ａの内側領域には、支柱部材２３を固定するためのねじ孔７が配されている。底板部３に配されたねじ孔７は、底板部３の板厚方向に底板部３を貫通する孔である。
【００２０】
底板部３は、側板下部構造部８と繋がる板状の基部３Ａと、側板下部構造部８から離れるように基部３Ａから延びる板状の延長部３Ｂ，３Ｃを有している。本実施形態では、２つの延長部３Ｂ，３Ｃが底板部３に設けられている。延長部３Ｂと延長部３Ｂとは、底板部３と側板下部構造部８との境界を構成する辺３ａ３が延びる方向において互いに離間している。
【００２１】
側板下部構造部８は、底板部３に対して垂直な板状の下部平板部９と、所定の曲率を有して湾曲した板状の下部湾曲部１２とを有している。
【００２２】
図１に示すように、下部平板部９は、側板下部構造部８を側板上部構造部１４に連結するためのねじ孔１０を有している。下部平板部９には、４つのねじ孔１０が互いに離間して配されている。図３に示すように、下部平板部９の外面のうち、下部湾曲部１２を介して底板部３の下面５と繋がっている面は、側板上部構造部１４と面接触する接触面１１を有している。
【００２３】
下部湾曲部１２は、底板部３の面方向と平行かつ下部平板部９の面方向と平行な直線（仮想線Ｃ１、図２，３参照）を曲率中心として湾曲し、底板部３と下部平板部９とが互いに垂直な状態となるように底板部３と下部平板部９とを繋ぐ部位である。
【００２４】
図１から図３までに示すように、上部板部材１３は、側板下部構造部８に連結された側板上部構造部１４と、側板上部構造部１４と連なる板状の天板部２０とを有している。
上部板部材１３の材質は特に限定されないが、下部板部材２よりも上部板部材１３の方が軽くなるように上部板部材１３の材質が選択されることが好ましい。たとえば、上部板部材１３は、単板、積層板、あるいは集成材などの木質材料によって形成されている。また、上部板部材１３は、曲げ加工可能な合板や、ＭＤＦ（medium density fiberboard）などの成型板によって形成されていてもよい。また、上部板部材１３は、鉄、アルミニウム、あるいはステンレス鋼などの金属からなっていてもよい。また、上部板部材１３の材質が下部板部材２と同じ材質であってもよい。また、上部板部材１３の外面は、塗装されていたり、木目シート等の化粧材が接着されていたりしてよい。
【００２５】
図３に示すように、側板上部構造部１４は、底板部３が床面１００に接している状態で側板下部構造部８からさらに上へ向かって延びる板状である。側板上部構造部１４は、下部平板部９に連結された上部平板部１５と、所定の曲率を有して湾曲した板状の上部湾曲部１９とを有している。
【００２６】
上部平板部１５は、側板下部構造部８における下部平板部９の接触面１１に接する内側面１６と、上部平板部１５の板厚方向において内側面１６とは反対側の面となる側板表面１７とを有している。上部平板部１５は、側板上部構造部１４を側板下部構造部８に接続するためのねじ孔１８を有している。上部平板部１５は、上部平板部１５の板厚方向と下部平板部９の板厚方向とが互いに一致するように上部平板部１５と下部平板部９とが重ねられた状態で、下部平板部９に接続されている。
図１及び図２に示すように、上部平板部１５と下部平板部９とは、上部平板部１５に配されたねじ孔１８及び下部平板部９に配されたねじ孔１０に挿入されるねじによって互いに固定されている。図３に示すように、上部平板部１５において最も底板部３に近い位置に配される端部１５ａは、下部平板部９と下部湾曲部１２との境界部Ｘ近傍、例えば下部平板部９と下部湾曲部１２との境界部Ｘと床面１００との間に、位置している。
【００２７】
上部湾曲部１９は、底板部３が床面１００に接している状態で天板部２０の上面（天板上面２１）が水平となるように、上部平板部１５と天板部２０とを繋ぐ部位である。上部湾曲部１９は、上部平板部１５の面方向と平行かつ天板上面２１の面方向と平行な直線（仮想線Ｃ２、図２，３参照）を曲率中心として湾曲した板状をなしている。上部湾曲部１９の曲率中心となる直線（仮想線Ｃ２）と、下部湾曲部１２の曲率中心となる直線（仮想線Ｃ１）とは、互いに平行である。
【００２８】
図３に示すように、天板部２０は、底板部３の下面５が床面１００に向けられた状態で底板部３が床面１００に接している状態において水平となる天板上面２１を有する。天板部２０の板厚方向から見たときに、天板部２０は矩形状をなしている。天板部２０の板厚方向から見たときの天板部２０の四辺のうちの一辺（天板部２０と上部湾曲部１９との境界部Ｙ）は、上部湾曲部１９と繋がっている。
【００２９】
天板上面２１は、天板部２０の板厚方向の両面のうち底板部３側に向けられた面（天板部２０の下面２２）とは反対側へ向けられた面によって構成されている。天板上面２１は、上部湾曲部１９を介して上部平板部１５の側板表面１７と繋がっている。天板上面２１は、テーブル１が設置されて利用可能となっている状態において水平となるように構成されている。天板上面２１は、物品を載置可能な水平な面を有する。なお、底板部３の脚部材６が高さ調整機構を有している場合には、床面１００が水平でなくても天板上面２１が水平となるように調整することができる。
天板部２０の下面２２には、支柱部材２３を天板部２０に取り付けるための被取付部（雌ねじ部２６）が設けられている。
【００３０】
支柱部材２３は、天板部２０の下面２２と底板部３とを接続する硬質な部材である。底板部３の板厚方向（テーブル１の高さ方向）から見たときに、支柱部材２３は、底板部３の輪郭３ａの内側領域に配されている。また、支柱部材２３は、テーブル１の高さ方向から見たときに、天板部２０の輪郭２０ａの内側領域に配されている（図１参照）。さらに、図１及び図３に示すように、支柱部材２３は、テーブル１の高さ方向から見たときに、側板部４０よりも天板部２０の中央Ｐに近く、天板部２０の中央Ｐよりも側板部４０に近い位置に配されている。支柱部材２３の材質は特に限定されない。たとえば、支柱部材２３の材質は、金属、木、樹脂等である。
【００３１】
支柱部材２３は、天板部２０側に位置する第一端部２４と、底板部３側に位置する第二端部２７と、第一端部２４と第二端部２７とを繋ぐ直線状の長手軸Ｌを有する軸部３０とを有している。
【００３２】
支柱部材２３の第一端部２４は、天板部２０にねじ込まれるねじ棒２５を有している。ねじ棒２５は、天板部２０の下面２２に配された雌ねじ部２６（例えば天板部２０に埋め込まれたナットのねじ溝）にねじ込まれることによって、支柱部材２３を天板部２０の下面２２に連結する。
【００３３】
支柱部材２３の第二端部２７は、底板部３の上面４に接する端面部２８と、端面部２８に開口し長手軸Ｌ方向に延びる雌ねじ部２９とを有している。支柱部材２３の第二端部２７に設けられた雌ねじ部２９は、底板部３に形成されたねじ孔７と同軸状に配される。支柱部材２３の第二端部２７は、軸部３０の長手軸Ｌが底板部３と垂直となるように、ねじによって、底板部３の上面４に固定される。
【００３４】
軸部３０は、円柱状（丸棒状）、角柱状（角棒状）、円筒状、あるいは角筒状である。また、軸部３０の外面は、意匠性を考慮した装飾となる形状や模様等を有していてもよい。たとえば、本実施形態の軸部３０は、１本の円筒部材からなる。また、図４に示すように、軸部３０の長手軸Ｌは、天板部２０の四辺のうち上部湾曲部１９との境界部Ｙ（図１，３参照）を構成する一辺が延びる方向において、天板部２０の中央Ｐ１に位置している。
なお、テーブル１の高さ方向から見たときに、天板部２０の四辺のうち上部湾曲部１９との境界部Ｙを構成する一辺が延びる方向における中央が含まれる領域に軸部３０が配置されていれば、天板部２０における境界部Ｙが延びる方向の中央Ｐ１から軸部３０の長手軸Ｌが離れた位置にあってもよい。
また、軸部３０は、長手軸を有する２以上の部材からなっていてもよい。この場合には、複数の軸部３０の長手軸が、境界部Ｙが延びる方向において、天板部２０の中央Ｐ１を間に挟むように離間して位置している。
【００３５】
本実施形態のテーブル１の作用について説明する。
図１及び図３に示すように、本実施形態では、側板下部構造部８と側板上部構造部１４とによって、テーブル１の側板部４０が構成されている。側板部４０は、テーブル１の高さ方向から見たときに天板部２０の輪郭２０ａを構成する四辺のうちの境界部Ｙを構成する一辺において天板部２０を片持ちで支持している。さらに、本実施形態では、天板部２０の下面２２と底板部３の上面４とに接する支柱部材２３によって、天板部２０と底板部３とが連結されている。テーブル１の高さ方向から見たときに、側板部４０よりも支柱部材２３の方が天板部２０の中央Ｐに近い位置にある。たとえば、テーブル１の高さ方向から見たときに、支柱部材２３は、天板部２０と上部湾曲部１９との境界となる一辺（境界部Ｙ）よりも天板部２０の中央Ｐに近い位置にある。さらに、テーブル１の高さ方向から見たときに、支柱部材２３は天板部２０の中央Ｐよりも側板部４０に近い位置にある。具体的な一例として、テーブル１の高さ方向から見たときに、支柱部材２３は、天板部２０のうち天板部２０と上部湾曲部１９との境界部Ｙを構成する一辺に接する位置にある。
【００３６】
天板上面２１に物品が載置されたり天板上面２１に荷重がかかったりすると、物品の重量や天板上面２１にかけられた荷重は、側板部４０と支柱部材２３との両方に伝わる。たとえば天板部２０の中央Ｐ近傍に荷重がかかった場合において、支柱部材２３がない場合には、天板部２０にかかった荷重は側板部４０に伝わり、側板部４０近傍を支点として天板部２０を下方へ回転させるモーメントによって曲げ応力を側板部４０に生じさせる。これに対して、本実施形態のテーブル１は、テーブル１の高さ方向から見たときに側板部４０よりも天板部２０の中央Ｐに近い位置に支柱部材２３が配されているので、天板部２０を下方へ回転させるモーメントによる側板部４０の曲げ応力は支柱部材２３が無い場合よりも小さい。
【００３７】
また、支柱部材２３は、テーブル１の高さ方向から見たときに天板部２０の輪郭２０ａの内側に位置しており、天板上面２１と垂直な方向に長手軸Ｌを有しているので、高さ方向に支柱部材２３を圧縮するような荷重に対する剛性が高い。
【００３８】
このため、本実施形態のテーブル１では、支柱部材２３が設けられていることによって、支柱部材２３が設けられていない場合よりもテーブル１の耐荷重を高めることができる。
【００３９】
また、テーブル１の高さ方向から見たときに、支柱部材２３は、テーブル１の中央よりも側板部４０に近い位置に配されている。このため、天板部２０と底板部３との間にベッドやソファーなどの什器の一部を進入させて利用することができる。
【００４０】
また、支柱部材２３は、底板部３における上記の一辺及び天板部２０における上記の一辺が延びる方向において、底板部３の中央及び天板部２０の中央Ｐに長手軸Ｌが位置するように配置されている。このため、本実施形態のテーブル１は、天板部２０と底板部３との間にベッドやソファーなどの什器の一部を進入させることができる空間が、これらの一辺が延びる方向における支柱部材２３の両側にもある。このため、天板部２０と底板部３との間に什器の一部を進入させて利用する場合に、支柱部材２３の長手軸Ｌを回動中心としてテーブル１を回動させても支柱部材２３が什器に干渉しないので、使い勝手が良い。
【００４１】
支柱部材２３は、天板部２０と底板部３とを接続する。すなわち、支柱部材２３はそれぞれの箇所で平板部（天板部２０及び底板部３）に対して垂直に接続されている。平板部に対して支柱部材２３が垂直に接続されているため、天板部２０と支柱部材２３との接続部及び底板部３と支柱部材２３との接続部を荷重に対して強くすることが容易である。例えば、天板部２０と支柱部材２３との接続部及び底板部３と支柱部材２３との接続部における平板部に金属板を設けることで、各接続部を強化することができる。
【００４２】
また、天板部２０と底板部３との間に什器の一部を進入させて利用する場合には、支柱部材２３はなるべく側板部４０に近い位置であるのが好ましい。そのため、上記の各接続部の少なくとも片方は、平板部の端、すなわち天板部２０の辺２０ａを構成する直線上、あるいは底板部３の辺３ａ３を構成する直線上にあるのが好ましい。
【００４３】
また、側板下部構造部８の下部平板部９と側板上部構造部１４の上部平板部１５とが各々の板厚方向に重ねて接続されているので、側板下部構造部８と側板上部構造部１４との接触面積を広く確保することができる。これにより、本実施形態のテーブル１は、側板下部構造部８と側板上部構造部１４との接続強度を高めることができる。
【００４４】
また、天板部２０と側板上部構造部１４とを構成する上部板部材１３の重量が、底板部３と側板下部構造部８とを構成する下部板部材２の重量よりも小さいので、テーブル１の重心を底板部３に近い位置とすることができる。これにより、本実施形態のテーブル１は、底板部３が床面１００に接するようにテーブル１が設置されている状態におけるテーブル１の安定性を高めることができる。
【００４５】
（変形例１）
上記実施形態の変形例について説明する。図５は、本変形例の構成を示す側面図である。
図５に示すように、本変形例では、下部板部材２と上部板部材１３とが同一材料によって一続きに形成されている。すなわち、本変形例では、下部板部材２と上部板部材１３とは、ねじ等によって接続されているのではなく、一枚の板材５０によって構成されている。
下部板部材２及び上部板部材１３を構成する一枚の板材５０は、単板、単板積層材、あるいは集成材からなる。底板部３、側板部４０、及び天板部２０は、板材５０の曲げ加工によって形成される。
本変形例では、テーブル１のうち天板部２０側よりも底板部３側が重くなるように、板材５０において底板部３を構成する部位に錘が取り付けられていてもよい。
このような構成でも上記実施形態と同様の効果を奏する。
【００４６】
（変形例２）
上記実施形態の他の変形例について説明する。図６は、本変形例の構成を示す側面図である。
図６に示すように、本変形例では、底板部３と側板下部構造部８とのなす角が鋭角であり、側板上部構造部１４と天板部２０とのなす角が鈍角である点で上記の実施形態に開示されたテーブル１と構成が異なっている。なお、本実施形態においても、底板部３が床面１００に接した状態において天板上面２１は水平である。底板部３の脚部材６が床面１００に接した状態において、テーブル１の高さ方向から見たときに、天板部２０の輪郭２０ａにおいて上部湾曲部１９との境界部Ｙを構成する一辺は、底板部３の輪郭３ａの内側領域に位置している。
【００４７】
本変形例では、天板上面２１に重い物品が載置された場合でも、床面１００に垂直な方向から見たときに、物品を含んだ天板部２０の重心位置が底板部３の輪郭３ａの内側に位置する。このため、本変形例では、上記実施形態と比較して、テーブル１がさらに安定して自立可能である。また、本変形例のテーブル１は、テーブル１の設置状態における下側（底板部３側）が広く上側（天板部２０側）が狭いので、安定感がある形状を有している。
【００４８】
本変形例では、底板部３と側板下部構造部８とのなす角が鋭角であるため、天板上面２１に物品を載置するなどにより天板上面２１に荷重がかかると、鋭角部（下部湾曲部１２）に特に大きな力がかかる。支柱部材２３を設けることで鋭角部にかかる力を小さくすることが出来る。また、本変形例のテーブル１は、下側（底板部３側）が広く上側（天板部２０側）が狭いため、支柱部材２３の設置位置から側板部４０までの距離が下側（底板部３側）で長くなるが、支柱部材２３の両側にも什器の一部を進入させることが出来る空間があるため、支柱部材２３があっても使い勝手が良い。
【００４９】
（変形例３）
上記実施形態のさらに他の変形例について説明する。図７は、本変形例の構成を示す側面図である。
図７に示すように、本変形例のテーブル１は、支柱部材２３と側板部４０とを連結する補強体３５をさらに備えている。また、本変形例のテーブル１の支柱部材２３は、天板部２０の下面２２に接するフランジ部２５ａと、フランジ部２５ａを天板部２０の下面２２に連結するためのねじ２５ｂを有している。フランジ部２５ａは、ねじ２５ｂによって、軸部３０の長手軸Ｌが天板上面２１と垂直となるように、天板部２０の下面２２に固定される。
【００５０】
補強体３５は、例えば、支柱部材２３の軸部３０の一部に固定される第一の連結部３６と、側板部４０の一部に固定される第二の連結部３７と、第一の連結部３６と第二の連結部３７とを繋ぐ棒状部３８とを有している。
本変形例のテーブル１は、底板部３、側板部４０、及び天板部２０の３つの部位が支柱部材２３及び補強体３５によって互いに連結されているので、強度に優れ、高い耐荷重を有する。
なお、補強体３５の構造は上記の構造には限定されない。たとえば、補強体３５は、支柱部材２３の軸部３０の長手軸Ｌ方向に長い板状をなしていてもよい。また、本変形例の補強体３５と同様に支柱部材２３と側板部４０とを繋ぐが補強の機能を有していない装飾用の薄板や膜などが設けられていてもよい。
【００５１】
以上、本発明の実施形態について図面を参照して詳述したが、具体的な構成はこの実施形態に限られるものではなく、本発明の要旨を逸脱しない範囲の設計変更等も含まれる。
【符号の説明】
【００５２】
１  テーブル
２  下部板部材
３  底板部
３ａ  底板部の輪郭
４  底板部の上面
５  底板部の下面
６  脚部材
７  ねじ孔
８  側板下部構造部
９  下部平板部
１０  ねじ孔
１１  接触面
１２  下部湾曲部
１３  上部板部材
１４  側板上部構造部
１５  上部平板部
１５ａ  上部平板部の最下端部
１６  内側面
１７  側板表面
１８  ねじ孔
１９  上部湾曲部
２０  天板部
２０ａ  天板部の輪郭
２１  天板上面
２２  天板部の下面
２３  支柱部材
２４  第一端部
２５  ねじ棒
２５ａ  フランジ部
２５ｂ  ねじ
２６  雌ねじ部
２７  第二端部
２８  端面部
２９  雌ねじ部
３０  軸部
３５  補強体
３６  第一の連結部
３７  第二の連結部
３８  棒状部
４０  側板部
５０  板材
１００  床面
【図１】
2018068638.tif 000003
【図２】
2018068638.tif 000004
【図３】
2018068638.tif 000005
【図４】
2018068638.tif 000006
【図５】
2018068638.tif 000007
【図６】
2018068638.tif 000008
【図７】
2018068638.tif 000009